(57)【要約】【課題】個々の画像の色再現に最適な色要素群を求めるための手掛かりを得ることができる画像表示装置と画像表示プログラムとを提供する。【解決手段】プロセス色のみの色要素群で元画像の色を再現してプロセス再現画像を得ると共に、プロセス色に特色を加えた色要素群で元画像の色を再現して特色再現画像を得る画像再現部４１０と、特色再現画像中の、プロセス色のみの色要素群のガマット外の再現色を有する画像部分を探索するガマット比較部４２０と、特色再現画像中の、プロセス再現画像とは再現色が異なっている画像部分を探索する画像比較部４３０と、プロセス再現画像と特色再現画像と並べて表示すると共に、特色再現画像についてはガマット比較部４２０や画像比較部４３０で探索された画像部分を他の画像部分と区別して表示する比較結果表示部４４０とを備えた。【選択図】        図５
2008033114.tif 000002
【特許請求の範囲】
【請求項１】
複数の基準色要素と、それら基準色要素とは異なる色要素とを含む色要素群で元画像の色を再現して再現画像を得る画像再現部と、
前記画像再現部で得られた再現画像を、該再現画像における色の再現性と前記複数の基準色要素のみによる色の再現性との相違が確認可能な形態で表示する表示部とを備えたことを特徴とする画像表示装置。
【請求項２】
前記複数の基準色要素が、ＣＭＹＫ４色の色要素であることを特徴とする請求項１記載の画像表示装置。
【請求項３】
前記表示部が、前記再現画像と、前記複数の基準色要素のみで前記元画像の色を再現して得られる基準再現画像とを並べて表示するものであることを特徴とする請求項１記載の画像表示装置。
【請求項４】
前記表示部は、前記再現画像中の再現色が前記複数の基準色要素のみによる再現色とは異なっている画像部分と、該再現画像中の他の画像部分とを区別した形態で該再現画像を表示するものであることを特徴とする請求項１記載の画像表示装置。
【請求項５】
前記表示部は、前記再現画像中の再現色が前記複数の基準色要素のみによる再現色とは異なっている画像部分と、該再現画像中の他の画像部分とのいずれか一方を所定の表示色で塗りつぶして、該再現画像を表示するものであることを特徴とする請求項１記載の画像表示装置。
【請求項６】
前記表示部が、前記複数の基準色要素のみで表現可能な色範囲外の再現色を有する画像部分と該色範囲内の再現色を有する画像部分とを区別した形態で前記再現画像を表示するものであることを特徴とする請求項１記載の画像表示装置。
【請求項７】
前記表示部が、前記複数の基準色要素のみで表現可能な色範囲外の再現色を有する画像部分と該色範囲内の再現色を有する画像部分とのいずれか一方の画像部分を所定の表示色で塗りつぶした形態で前記再現画像を表示するものであることを特徴とする請求項１記載の画像表示装置。
【請求項８】
コンピュータに組み込まれ、該コンピュータ上で、
複数の基準色要素と、それら基準色要素とは異なる色要素とを含む色要素群で元画像の色を再現して再現画像を得る画像再現部と、
前記画像再現部で得られた再現画像を、該再現画像における再現色と前記複数の基準色要素のみによる再現色との相違が確認可能な形態で表示する表示部とを構築することを特徴とする画像表示プログラム。
【発明の詳細な説明】
【技術分野】
【０００１】
本発明は、元画像を再現した再現画像を表示する画像表示装置、およびコンピュータをそのような画像表示装置として動作させる画像表示プログラムに関する。
【背景技術】
【０００２】
従来、印刷機では、シアン（Ｃ）、マゼンタ（Ｍ）、イエロー（Ｙ）、ブラック（Ｋ）の４色（プロセス色）の色要素のインクが一般的に用いられ、これら複数の色要素によって色が用紙上に出力される。また、このようなプロセス色のみでは出力しきれない色を適切に出力するために、例えばレッド（Ｒ）、グリーン（Ｇ）、ブルー（Ｂ）等といった、プロセス色以外の色（特色）の色要素のインクが用いられることもある。
【０００３】
このような印刷機等を使った印刷において、特色を用いた色再現を行なうか否か、また、特色を用いる場合にどのような特色を用いたら良いかの判断は、画像の編集者あるいは印刷業者等といったユーザの判断に委ねられている。確かに、多くの種類の特色を用いるほど、印刷機で適切に再現できる色の種類も増えるが、一方で、特色を用いた分だけ印刷の手間やコストが嵩むこととなる。そこで、特色の使用をなるべく抑えつつも、印刷機で画像の色を適切に再現することが求めらる。しかしながら、プロセス色のみの色要素群や、あるいはプロセス色に何らかの特色を加えた色要素群等といった様々な色要素群の中から、色の再現性、手間、およびコスト等を総合的に勘案して、印刷対象の画像に最適な色要素群を選び出すには熟練を要する。
【０００４】
そこで、様々なコンテンツの画像について熟練者が予め最適な色要素群を求め、各コンテンツとともに、そのコンテンツに最適な色要素群をデータベースに登録しておき、印刷時には、ユーザが、データベースに登録されているコンテンツの中から印刷対象の画像に合致していると思われるコンテンツを選ぶことで最適な色要素群を求めるという技術が提案されている（例えば、特許文献１参照。）。例えば、肉や野菜等の生鮮食品の広告というコンテンツの画像ではＲ色やＧ色の画像部分が占める割合が多いが、特許文献１の技術によれば、そのようなコンテンツの画像に対してＲ色やＧ色の特色を用いた色要素群がユーザの判断によらず自動的に求められる。
【特許文献１】特開２００２−２４７４０３号公報
【発明の開示】
【発明が解決しようとする課題】
【０００５】
しかしながら、この特許文献１に示されている技術では、個々の画像ではなく、データベースに予め登録されているコンテンツの中からユーザが選んだコンテンツに基づいて色要素群が選ばれるので、その選ばれた色要素群が個々の画像の色再現に最適であるとは限らないという問題がある。結局、個々の画像の色再現に最適な色要素群を確実に求めるためには、やはり、色の再現性、手間、およびコスト等を総合的に勘案する熟練した技術を要するというのが現状である。そのため、このような最適な色要素群を確実に求める作業を少しでも容易なものとするために何らかの手掛かりを得ることができる技術が望まれている。
【０００６】
本発明は、上記事情に鑑み、個々の画像の色再現に最適な色要素群を求めるための手掛かりを得ることができる画像表示装置と、コンピュータをそのような画像表示装置として動作させる画像表示プログラムとを提供することを目的とする。
【課題を解決するための手段】
【０００７】
上記目的を達成する本発明の画像表示装置は、複数の基準色要素と、それら基準色要素とは異なる色要素とを含む色要素群で元画像の色を再現して再現画像を得る画像再現部と、
上記画像再現部で得られた再現画像を、その再現画像における色の再現性と上記複数の基準色要素のみによる色の再現性との相違が確認可能な形態で表示する表示部とを備えたことを特徴とする。
【０００８】
ここで、本発明の画像表示装置において、「上記複数の基準色要素が、ＣＭＹＫ４色の色要素である」という形態は典型的な形態である。
【０００９】
尚、本発明にいう「表示する」とは、モニタ等に表示する場合だけでなく、例えばプリンタ等で用紙上にプリントする場合も含む。
【００１０】
典型的にはプロセス色のＣＭＹＫ４色である基準色要素とは異なる色要素を色要素群に加えるほど、例えば印刷等に要するコストや手間は上昇する。本発明の画像表示装置によれば、上記再現画像におけるその色要素群による色の再現性と上記複数の基準色要素のみによる色の再現性との相違を上記表示部による表示形態を介して確認することで、上記のようにコストや手間の上昇に繋がる色要素が色の再現性にどの程度寄与するかを把握することができる。これにより、ユーザは、個々の元画像の色再現に対して色の再現性、手間、およびコスト等を総合的に勘案して最適な色要素群を求めるに当たり、ある色要素群がどの程度コストや手間に見合った色再現を行なえるかという有用な手掛かりを得ることができる。
【００１１】
また、本発明の画像表示装置において、「上記表示部が、上記再現画像と、上記複数の基準色要素のみで上記元画像の色を再現して得られる基準再現画像とを並べて表示するものである」という形態は好ましい形態である。
【００１２】
この好ましい画像表示装置によれば、上記再現画像における再現色と、上記基準再現画像における再現色とを同一画面上で見比べることで、上記再現画像における色の再現性と上記複数の基準色要素のみによる色の再現性との相違を容易に確認することができる。
【００１３】
また、本発明の画像表示装置において、「上記表示部は、上記再現画像中の再現色が上記複数の基準色要素のみによる再現色とは異なっている画像部分と、その再現画像中の他の画像部分とを区別した形態でその再現画像を表示するものである」という形態や、
「上記表示部は、上記再現画像中の再現色が上記複数の基準色要素のみによる再現色とは異なっている画像部分と、その再現画像中の他の画像部分とのいずれか一方を所定の表示色で塗りつぶして、その再現画像を表示するものである」という形態も好ましい形態である。
【００１４】
これらの好ましい形態の画像表示装置によれば、色再現に上記基準色要素とは異なる色要素が関与しているために再現色が上記複数の基準色要素のみによる再現色とは異なっている画像部分が明示的に表示されるので、上記再現画像における色の再現性と、上記複数の基準色要素のみによる色の再現性とが相違している箇所を容易に把握することができる。
【００１５】
また、本発明の画像表示装置において、「上記表示部が、上記複数の基準色要素のみで表現可能な色範囲外の再現色を有する画像部分とその色範囲内の再現色を有する画像部分とを区別した形態で上記再現画像を表示するものである」という形態や、
「上記表示部が、上記複数の基準色要素のみで表現可能な色範囲外の再現色を有する画像部分とその色範囲内の再現色を有する画像部分とのいずれか一方の画像部分を所定の表示色で塗りつぶした形態で上記再現画像を表示するものである」という形態も好ましい。
【００１６】
これらの好ましい形態の画像表示装置によれば、上記再現画像中の、上記複数の基準色要素のみでは色が再現しきれない画像部分が明示的に表示されるので、上記再現画像における色の再現性と、上記複数の基準色要素のみによる色の再現性とが相違している箇所を容易に把握することができる。
【００１７】
また、上記目的を達成する本発明の画像表示プログラムは、コンピュータに組み込まれ、そのコンピュータ上で、
複数の基準色要素と、それら基準色要素とは異なる色要素とを含む色要素群で元画像の色を再現して再現画像を得る画像再現部と、
上記画像再現部で得られた再現画像を、その再現画像における再現色と上記複数の基準色要素のみによる再現色との相違が確認可能な形態で表示する表示部とを構築することを特徴とする。
【００１８】
本発明の画像表示プログラムによれば、上述した本発明の画像表示装置の構成要素がコンピュータによって容易に構築される。
【００１９】
尚、本発明の画像表示プログラムについては、ここではその基本形態のみを示すに止めるが、これは単に重複を避けるためであり、本発明の画像表示プログラムには、上記の基本形態のみではなく、前述した画像表示装置の各形態に対応する各種の形態が含まれる。
【００２０】
また、本発明の画像表示プログラムがコンピュータ上に構築する画像再現部などといった要素は、１つの要素が１つのプログラム部品によって構築されるものであっても良く、１つの要素が複数のプログラム部品によって構築されるものであっても良く、複数の要素が１つのプログラム部品によって構築されるものであっても良い。また、これらの要素は、そのような作用を自分自身で実行するものとして構築されても良く、あるいは、コンピュータに組み込まれている他のプログラムやプログラム部品に指示を与えて実行するものとして構築されても良い。
【発明の効果】
【００２１】
以上、説明したように、本発明によれば、個々の画像の色再現に最適な色要素群を求めるための手掛かりを得ることができる画像表示装置と、コンピュータをそのような画像表示装置として動作させる画像表示プログラムとを得ることができる。
【発明を実施するための最良の形態】
【００２２】
以下図面を参照して本発明の実施の形態を説明する。
【００２３】
図１は、本発明の一実施形態が適用される印刷システムの全体構成図である。
【００２４】
この図１に示す印刷システム１は、ＣＭＹＫ４色のプロセス色のインクの他にＲＧＢ３色の特色のインクが使用できる印刷機３０を備えており、原稿画像１１を元に編集された印刷用の画像を印刷機３０で用紙上に印刷して印刷物３１を作成するものである。
【００２５】
カラースキャナ１０では、原稿画像１１が読み取られて、その読み取られた原稿画像１１を表わすＲＧＢ３色の色分解画像データが生成される。この色分解画像データはパーソナルコンピュータ１００に入力される。パーソナルコンピュータ１００では、ユーザによって、入力された色分解画像データに基づく電子的な集版が行なわれ、ＲＧＢ３色で色が表現された印刷用の画像を表わす画像データ（以下、ＲＧＢ画像データと呼ぶ）が生成される。
【００２６】
ここで、この図１に示す印刷システム１は、ＣＭＹＫ４色のプロセス色のみの色要素群と、プロセス色にＲＧＢ３色の特色を後述するように７通りに加えた７種類の色要素群との計８種類の色要素群のインクで印刷物３１を作成することができる。
【００２７】
パーソナルコンピュータ１００では、上記のようにＲＧＢ画像データが生成されると、そのＲＧＢ画像データが表わす画像（元画像）の色をプロセス色のみの色要素群で再現して得られる再現画像（プロセス再現画像）と、特色を含む色要素群で色を再現して得られる再現画像（特色再現画像）とが並べられて表示される。この表示についても上記の色要素群と併せて後述する。
【００２８】
そして、ユーザが、その表示内容を見て、印刷に採用する色要素群を決定する。
【００２９】
すると、元画像を表わすＲＧＢ画像データが、採用された色要素群で色を定義することで元画像を再現した画像データに変換される。そして、この変換済みの画像データが、いわゆるＲＩＰ（Ｒａｓｔｅｒ  Ｉｍａｇｅ  Ｐｒｏｃｅｓｓｏｒ）により、網点で画像を構成した網点画像を表した網点画像データに変換される。この網点画像データへの変換は、上記の色要素群をなす複数の色要素それぞれについて行なわれ、これら各色要素に対応した各版の網点画像データが作成される。
【００３０】
この印刷用の網点画像データは、フィルムプリンタ２０に入力され、フィルムプリンタ２０では、その入力された網点画像データに対応した、各版の印刷用フィルム原版が作成される。この印刷用フィルム原版からは各版の刷版が作成され、それらの刷版が印刷機３０に装着される。そして、各版の刷版にその版に対応した色のインクが塗布され、その塗布されたインクが印刷用の用紙上に転移される。その転移が、各版について行なわれて印刷物３１が形成される。
【００３１】
図２は、図１のパーソナルコンピュータ１００の外観斜視図、図３はそのハードウェア構成図である。
【００３２】
このパーソナルコンピュータ１００は、外観構成上、本体装置１１０、その本体装置１１０からの指示に応じてモニタ１２０ａ上に画像を表示する画像表示装置１２０、本体装置１１０に、キー操作に応じた各種の情報を入力するキーボード１３０、および、モニタ１２０ａ上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１０ａ、およびＣＤ−ＲＯＭを装填するためのＣＤ−ＲＯＭ装填口１１０ｂを有する。
【００３３】
本体装置１１０の内部には、図３に示すように、各種プログラムを実行するＣＰＵ１１１、ハードディスク装置１１３に格納されたプログラムが読み出されＣＰＵ１１１での実行のために展開される主メモリ１１２、各種プログラムやデータなどが保存されたハードディスク装置１１３、ＦＤ２００をアクセスするＦＤドライブ１１４、ＣＤ−ＲＯＭ２１０が装填され、その装填されたＣＤ−ＲＯＭ２１０をアクセスするＣＤ−ＲＯＭドライブ１１５、図１のカラースキャナ１０やフィルムプリンタ２０に接続されこれらの機器とデータのやり取りを行なうＩ／Ｏインタフェース１１６が内蔵されており、これらの各種要素と、さらに図２にも示す画像表示装置１２０、キーボード１３０、マウス１４０は、バス１５０を介して相互に接続されている。
【００３４】
以上に説明したパーソナルコンピュータ１００では、上述したように、ＲＧＢ画像データの生成、再現画像の表示、および網点画像データの作成が行なわれる。これらの処理のうち、ＲＧＢ画像データの生成および網点画像データの作成については本発明の主題ではないので、これらについての詳細な説明は省略し、以下では、このパーソナルコンピュータ１００で実行される再現画像の表示に注目した説明を行なう。
【００３５】
本実施形態では、図２に示すＣＤ−ＲＯＭ２１０に、このパーソナルコンピュータ１００を、再現画像の表示を行なう本発明の画像表示装置の一実施形態として動作させる、本発明の画像表示プログラムの一実施形態が記憶される。そして、そのＣＤ−ＲＯＭ２１０がＣＤ−ＲＯＭドライブ１１５に装填されると、そのＣＤ−ＲＯＭ２１０に記憶されたプログラムがこのパーソナルコンピュータ１００にアップロードされてハードディスク装置１１３に書き込まれる。これにより、パーソナルコンピュータ１００は画像表示装置として動作する。
【００３６】
以下、この本発明の画像表示プログラムの一実施形態について説明する。
【００３７】
図４は、本発明の画像表示プログラムの一実施形態を示す模式図である。
【００３８】
この図４には、本発明の画像表示プログラムの一実施形態である画像表示プログラム３００が記憶されたＣＤ−ＲＯＭ２１０が模式的に示されている。
【００３９】
この画像表示プログラム３００は、コンピュータ１００を本発明の画像表示装置の一実施形態として動作させるものであり、画像再現部３１０と、ガマット比較部３２０と、画像比較部３３０と、比較結果表示部３４０とを有する。この画像表示プログラム３００の各要素の詳細については後述する。
【００４０】
図５は、本発明の画像表示装置の一実施形態を示すブロック図である。
【００４１】
この図５に示す、本発明の画像表示装置の一実施形態である画像表示装置４００は、図４の画像表示プログラム３００が図１のコンピュータ１００にインストールされて実行されることによって構成されるものであり、画像再現部４１０と、ガマット比較部４２０と、画像比較部４３０と、比較結果表示部４４０とを有する。
【００４２】
図４の画像表示プログラム３００が、図１のコンピュータ１００にインストールされると、その画像表示プログラム３００の画像再現部３１０、ガマット比較部３２０、画像比較部３３０、および比較結果表示部３４０は、それぞれ図５に示す画像表示装置４００の画像再現部４１０、ガマット比較部４２０、画像比較部４３０、および比較結果表示部４４０を構築する。ここで、これら画像表示装置４００の各要素は、コンピュータのハードウェアとそのコンピュータで実行されるＯＳやアプリケーションプログラムとの組合せで構成されているのに対し、図４の画像表示プログラム３００の各要素は、アプリケーションプログラムのみによって構成されている。
【００４３】
また、この画像表示装置４００における画像再現部４１０は、本発明の画像表示装置における画像再現部の一例に相当する。また、画像表示装置４００におけるガマット比較部４２０、画像比較部４３０、および比較結果表示部４４０を合わせたものは、本発明の画像表示装置における表示部の一例に相当する。
【００４４】
以下、この図５に示す画像表示装置４００の各要素を説明することによって、図４に示す画像表示プログラム３００の各要素も併せて説明する。
【００４５】
この画像表示装置４００は、図１の印刷システム１で原稿画像１１に基づいて作成されたＲＧＢ画像データＤ１が表わす印刷用の画像（元画像）の色をＣＭＹＫ４色のプロセス色のみの色要素群で再現して得られるプロセス再現画像と、プロセス色に特色を加えた色要素群で色を再現して得られる特色再現画像とを並べて表示する。そして、画像表示装置４００がこのような表示を以下に説明する７種類の色要素群それぞれに対応する７種類の特色再現画像について行うことで、ユーザは、元画像の色再現に最適な色要素群をそれら７種類の色要素群の中から色の再現性、手間、およびコスト等を総合的に勘案して選ぶための後述の手掛かりを得ることができる。
【００４６】
ユーザが元画像の色再現に最適な色要素群を選び出すための母集団である７種類の色要素群とは、ＣＭＹＫ４色とＲ色とからなる色要素群、ＣＭＹＫ４色とＧ色とからなる色要素群、ＣＭＹＫ４色とＢ色とからなる色要素群、ＣＭＹＫ４色とＲＧ２色とからなる色要素群、ＣＭＹＫ４色とＧＢ２色とからなる色要素群、ＣＭＹＫ４色とＢＲ２色とからなる色要素群、および、ＣＭＹＫ４色とＲＧＢ３色とからなる色要素群の７種類の色要素群である。
【００４７】
図５の画像再現部４３０では、プロセス再現画像と特色再現画像が求められるが、特色再現画像についてはこれら７種類の色要素群それぞれに対応する７種類の特色再現画像が求められる。
【００４８】
ここで、プロセス色のみの色要素群と、特色を含む７種類の色要素群との計８種類の色要素群それぞれについては、各色要素群で再現できる色の範囲（ガマット）が決まっており、一方、図１のカラースキャナ１０が扱うことができるガマットも決まっている。さらに、カラースキャナ１０に対応したガマットは、各色要素群に対応したガマットよりも広い。そのため、画像再現部４１０では、元画像の色が、各色要素群に対応したガマット内の色で再現されて、プロセス再現画像と７種類の特色再現画像とが得られる。
【００４９】
画像再現部４１０は、図１のカラースキャナ１０について、そのカラースキャナ１０に依存したＲＧＢ色空間と、装置に非依存のＬａｂ色空間との対応関係とを定義したスキャナプロファイル４１１を有しており、元画像を表わすＲＧＢ画像データＤ１が、まず、このスキャナプロファイル４１１によってその元画像を表わすＬａｂ画像データＤ２に変換される。
【００５０】
また、画像再現部４１０は、Ｌａｂ画像データＤ２が表わす元画像の色を色要素群に対応したガマット内の色に変換するという色変換を上記の８種類の色要素群それぞれについて定義した８種類の色変換定義４１２を有している。そして、画像再現部４１０は、各色変換定義４１２を用いた色変換によって、元画像を表わすＬａｂ画像データＤ２を、各色要素群による再現画像を表わす８種類のＬ’ａ’ｂ’画像データＤ３それぞれに変換する。これら８種類のＬ’ａ’ｂ’画像データＤ３のうち、特色を含む色要素群に対応する７種類の特色再現画像を表わす７種類のＬ’ａ’ｂ’画像データＤ３がガマット比較部４２０に渡される。また、これら７種類のＬ’ａ’ｂ’画像データＤ３と、プロセス色のみの色要素群に対応するプロセス再現画像を表わすＬ’ａ’ｂ’画像データＤ３とが画像比較部４３０に渡される。
【００５１】
さらに、画像再現部４１０は、画像表示装置１２０（図２参照）に依存したＲＧＢ色空間とＬａｂ色空間との対応関係とを定義したモニタプロファイル４１３を有しており、８種類のＬ’ａ’ｂ’画像データＤ３それぞれがモニタプロファイル４１３を使って画像表示用のＲ’Ｇ’Ｂ’データＤ４に変換される。これら８種類のＲ’Ｇ’Ｂ’データＤ４は、比較結果表示部４４０に渡される。
【００５２】
ガマット比較部４２０は、プロセス色のみの色要素群についてのガマット（プロセスガマット）を与えられている。ガマット比較部４２０は、画像再現部４１０から渡された７種類のＬ’ａ’ｂ’画像データＤ３それぞれが表わす特色再現画像中で、プロセスガマット外の再現色を有する画像部分を探索する。
【００５３】
画像比較部４３０は、特色再現画像中で、プロセス再現画像とは再現色が異なっている画像部分を、特色再現画像を表わすＬ’ａ’ｂ’画像データＤ３とプロセス再現画像を表わすＬ’ａ’ｂ’画像データＤ３とを相互に比較することで探索する。
【００５４】
比較結果表示部４４０は、画像再現部４１０から渡された８種類のＲ’Ｇ’Ｂ’データＤ４と、ガマット比較部４２０および画像比較部４３０それぞれにおける探索結果とに基づいて、特色再現画像とプロセス再現画像とを並べてモニタ１２０ａ上に以下に説明するように表示する。
【００５５】
図６は、比較結果表示部４４０による表示内容の一例を示す図である。
【００５６】
この図６に示すように比較結果表示部４４０は、特色再現画像表示部分４４１と、プロセス再現画像表示部分４４２とを有する表示画面を表示する。
【００５７】
また、この表示画面には、特色再現画像表示部分４４１に表示される特色再現画像を再現する色要素群がユーザによるプルダウンメニュー４４３ａの操作を介して指定される色要素群指定部４４３が備えられている。指定された色要素群は色要素群指定部４４３の表示部分４４３ｂに表示され、その指定された色要素群に対応した特色再現画像が特色再現画像表示部分４４１に表示される。
【００５８】
また、図５に示す比較結果表示部４４０は、特色再現画像を、その特色再現画像中の、ガマット比較部４２０あるいは画像比較部４３０で探索された画像部分が明示的に示された形態で表示する機能を有している。図６に示す表示画面には、ガマット比較部４２０で探索された画像部分の明示的な表示がユーザによるラジオボタン４４４ａの操作を介して指示されるガマット比較表示指示部４４４と、画像比較部４３０で探索された画像部分の明示的な表示がユーザによるラジオボタン４４５ａの操作を介して指示される画像比較表示指示部４４５とが備えられている。
【００５９】
ガマット比較表示指示部４４４は、ガマット比較部４２０で探索された、プロセス色のみの色要素群のガマット外の再現色を有する画像部分を所定の表示色で塗りつぶして表示することを指示するラジオボタン４４４ｂと、逆に、ガマット内の再現色を有する画像部分を塗りつぶして表示することを指示するラジオボタン４４４ｃとを有している。ガマット比較表示指示部４４４では、ガマット比較部４２０で探索された画像部分の表示を指示する上記のラジオボタン４４４ａがクリックされると塗りつぶしに関するラジオボタン４４４ｂ，４４４ｃに対する操作が可能となる。そして、これら２つのラジオボタン４４４ｂ，４４４ｃのうちユーザによってクリックされたラジオボタンに対応する画像部分が塗りつぶされた形態で特色再現画像が表示される。
【００６０】
また、画像比較表示指示部４４５は、画像比較部４３０で探索された、プロセス再現画像とは再現色が異なっている画像部分を、所定の表示色で塗りつぶして表示することを指示するラジオボタン４４５ｂと、逆に、プロセス再現画像と同じ再現色を有する画像部分を塗りつぶして表示することを指示するラジオボタン４４５ｃとを有している。画像比較表示指示部４４５では、画像比較部４３０で探索された画像部分の表示を指示する上記のラジオボタン４４５ａがクリックされると塗りつぶしに関するラジオボタン４４５ｂ，４４５ｃに対する操作が可能となる。そして、これら２つのラジオボタン４４５ｂ，４４５ｃのうちユーザによってクリックされたラジオボタンに対応する画像部分が塗りつぶされた形態で特色再現画像が表示される。
【００６１】
さらに、図６に示す表示画面には、上記のような画像部分の塗りつぶしは行わず、特色再現画像をそのまま表示することがユーザによるラジオボタン４４６ａの操作を介して指示される非塗りつぶし表示指示部４４６も備えられている。
【００６２】
この図６には、ガマット比較表示指示部４４４において、ガマット外の再現色を有する画像部分の塗りつぶしが指示された例が示されている。このような指示を受けて、特色再現画像表示部分４４１には、特色再現画像が、図中ではハッチングで示されているように、ガマット外の再現色を有する画像部分が塗りつぶされた形態で表示される。
【００６３】
ユーザは、このように表示された特色再現画像中の塗りつぶされた画像部分の広さから、特色が色の再現性にどの程度寄与するかを把握することができる。また、元画像中に特に高精度で再現したい色（例えば、商品カタログ中の商品の色等）がある場合、特色再現画像中の塗りつぶされた画像部分の位置から、特色がそのような所望の色の再現性にどの程度寄与するかを把握することができる。さらに、特色再現画像をプロセス再現画像と並べてそのまま表示することで、特色の使用によってどの程度色の再現性が向上するかを把握することができる。
【００６４】
ユーザは、個々の元画像の色再現に最適な色要素群を、上記の７種類の色要素群の中から選び出すに当たり、各色要素群についての上記のような特色再現画像の表示によって、各色要素群がどの程度コストや手間に見合った色再現を行なえるかという有用な手掛かりを得ることができる。そして、各色要素群について得られるこのような手掛かりを相互に比較して、上記の７種類の色要素群の中から印刷に最適な色要素群を選び出すことができる。
【００６５】
尚、上記では、本発明にいう表示部の一例として、特色再現画像とプロセス再現画像とを並べて表示すると共に、特色再現画像については、その特色再現画像中の、プロセス色のみの色要素群のガマット外の再現色を有する画像部分や、プロセス再現画像とは再現色が異なっている画像部分を他の画像部分と区別して表示する、ガマット比較部４２０と画像比較部４３０と比較結果表示部４４０とを合わせたものを例示したが、本発明はこれに限るものではない。本発明の表示部は、例えば、特色再現画像のみを、その特色再現画像中の、プロセス色のみの色要素群のガマット外の再現色を有する画像部分を他の画像部分と区別して表示するものであっても良く、また、例えば、特色再現画像のみを、その特色再現画像中の、プロセス再現画像とは再現色が異なっている画像部分を他の画像部分と区別して表示するもの等であっても良い。
【００６６】
また、上記では、本発明にいう表示部の一例として、特色再現画像中の、プロセス色のみの色要素群のガマット外の再現色を有する画像部分や、プロセス再現画像とは再現色が異なっている画像部分、あるいは、それらの画像部分以外の他の画像部分を塗りつぶして表示する比較結果表示部４４０を有する例を示したが、本発明はこれに限るものではない。本発明の表示部は、例えば、特色再現画像における上記のような画像部分の輪郭線を表示するものであっても良く、あるいは、上記のような画像部分にハッチングを施して表示するもの等であっても良い。
【００６７】
また、上記では、本発明にいう表示部の一例として、モニタ１２０ａ上に上記の特色再現画像やプロセス再現画像を表示する比較結果表示部４４０を有する例を示したが、本発明はこれに限るものではない。本発明の表示部は、例えば、これらの再現画像をプリンタ等で用紙上にプリントするものであっても良い。
【図面の簡単な説明】
【００６８】
【図１】本発明の一実施形態が適用される印刷システムの全体構成図である。
【図２】図１のパーソナルコンピュータ１００の外観斜視図である。
【図３】図１のパーソナルコンピュータ１００のハードウェア構成図である。
【図４】本発明の画像表示プログラムの一実施形態を示す模式図である。
【図５】本発明の画像表示装置の一実施形態を示すブロック図である。
【図６】比較結果表示部４４０による表示内容の一例を示す図である。
【符号の説明】
【００６９】
１    印刷システム
１０    カラースキャナ
１１    原稿画像
２０    フィルムプリンタ
３０    印刷機
３１    印刷物
１００    パーソナルコンピュータ
１１０    本体装置
１１０ａ    ＦＤ装填口
１１０ｂ    ＣＤ−ＲＯＭ装填口
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
１２０    画像表示装置
１２０ａ    モニタ
１３０    キーボード
１４０    マウス
１５０    バス
２００    ＦＤ
２１０    ＣＤ−ＲＯＭ
３００    画像表示プログラム
３１０    画像再現部
３２０    ガマット比較部
３３０    画像比較部
３４０    比較結果表示部
４００    画像表示装置
４１０    画像再現部
４１１    スキャナプロファイル
４１２    色変換定義
４１３    モニタプロファイル
４２０    ガマット比較部
４３０    画像比較部
４４０    比較結果表示部
４４１    特色再現画像表示部分
４４２    プロセス再現画像表示部分
４４３    色要素群指定部
４４３ａ    プルダウンメニュー
４４３ｂ    表示部分
４４４    ガマット比較表示指示部
４４４ａ，４４４ｂ，４４４ｃ，４４５ａ，４４５ｂ，４４５ｃ，４４６ａ    ラジオボタン
４４５    画像比較表示指示部
４４６    非塗りつぶし表示指示部
【図１】
2008033114.tif 000003
【図２】
2008033114.tif 000004
【図３】
2008033114.tif 000005
【図４】
2008033114.tif 000006
【図５】
2008033114.tif 000007
【図６】
2008033114.tif 000008